(57)【要約】  その第１および第２の端部間に配置されたコネクターインタフェースを備えたハウジングを具備してなる電気コネクター。当該ハウジングの底部はプリント回路板係合面を有する。ハウジングの第１の端部は第１のファスナーを受けるよう構成された第１の孔を具備してなりかつ第２の端部は第２のファスナーを受けるよう構成された第１の孔を具備してなる。着脱式カバーがハウジングの後部に対して結合されている。このカバーは、ハウジングの後部内へと延在する延在部を具備してなる。本電気コネクターは、プリント回路板の逆側の面上の実質的に同一な第２のコネクターに対して取り付け可能である。
2008517432.tif 000002
【特許請求の範囲】
【請求項１】
ハウジングと、着脱式カバーと、を具備してなる電気コネクターであって、
前記ハウジングは、
このハウジングの第１および第２の端部間に配置されたコネクターインタフェースと、
前記コネクターインタフェースと対向する後部と、
プリント回路板係合面を有する底部と、を備え、
前記第１の端部は第１のファスナーを受けるよう構成された第１の孔を備えると共に、前記第２の端部は第２のファスナーを受けるよう構成された第１の孔を備えており、
前記着脱式カバーは前記ハウジングの前記後部に対して結合されており、前記カバーは、前記ハウジングの前記後部内へと延在する少なくとも第１の延在部を備えていることを特徴とする電気コネクター。
【請求項２】
前記第１の延在部は、前記カバーの二つの対向する端部間で延在する長手方向フランジであり、かつ
前記フランジは、前記ハウジングと摩擦係合するための複数の弾性タブを具備してなることを特徴とする請求項１に記載の電気コネクター。
【請求項３】
前記カバーは、このカバーの一端部から延在する第２の延在部を具備してなり、かつ
前記第２の延在部は、前記ハウジングとスナップ嵌め込み式係合するための弾性クリップを具備してなることを特徴とする請求項１に記載の電気コネクター。
【請求項４】
前記カバーは、このカバーの一端部から延在する第２の延在部を具備してなり、かつ
前記第２の延在部は、前記ハウジングと係合すると共に、前記第１のコネクターを受けるための前記第１の孔と軸方向に整列した切欠きを具備してなることを特徴とする請求項１に記載の電気コネクター。
【請求項５】
前記カバーは、このカバーの逆端部から延在する第３の延在部を具備してなり、かつ
前記第３の延在部は、前記ハウジングとスナップ嵌め込み式係合するための弾性クリップを具備してなることを特徴とする請求項４に記載の電気コネクター。
【請求項６】
前記カバーが前記ハウジングの前記後部の開口部を覆うようになっていることを特徴とする請求項１に記載の電気コネクター。
【請求項７】
前記ハウジングは、前記後部から延在する第１および第２のアームを具備してなり、
前記第１のアームは、第３のコネクターを受けるよう構成された第２の孔を具備してなり、かつ
前記第２のアームは、第４のコネクターを受けるよう構成された第２の孔を具備してなることを特徴とする請求項１に記載の電気コネクター。
【請求項８】
前記ハウジングの前記底部は、そこから延在する少なくとも一つの位置合せポストを具備してなることを特徴とする請求項１に記載の電気コネクター。
【請求項９】
プリント回路板と、第１および第２の実質的に同一のコネクターと、第１のファスナーと、第２のファスナーと、を具備してなる電気コネクターアセンブリであって、
前記プリント回路板は、対向する第１および第２の面、ならびに第１および第２の開口部を備え、
前記第１および第２のコネクターは、前記プリント回路板の前記第１および第２の面上にそれぞれ配置されており、前記第１および第２のコネクターのそれぞれは、ハウジングの第１および第２の端部間に配置されたコネクターインタフェースを備えた前記ハウジングを具備してなり、前記第１の端部のそれぞれは第１の孔を具備してなり、かつ前記第２の端部のそれぞれは第１のネジ付き孔を具備してなり、
前記第１のファスナーは、前記第１のコネクターの前記第１の孔を通り、かつ前記プリント回路板と係合することなく前記プリント回路板の前記第１の開口部を通って延在しており、かつ前記第１のファスナーは、前記第２のコネクターの前記第１のネジ付き孔と係合する遠位端部を有し、
前記第２のファスナーは、前記第２のコネクターの前記第１の孔を通り、かつ前記プリント回路板と係合することなく前記プリント回路板の前記第２の開口部を通って延在しており、かつ前記第２のファスナーは、前記第１のコネクターの前記第１のネジ付き板と係合する遠位端部を有し、
前記第１および第２のファスナーは別体であって、かつ前記第１および第２のコネクターから取り外し可能となっていることを特徴とする電気コネクターアセンブリ。
【請求項１０】
前記コネクターインタフェースと対向する後部に対して結合された第１および第２のカバーをさらに具備してなることを特徴とする請求項９に記載の電気コネクターアセンブリ。
【請求項１１】
前記第１および第２のカバーのそれぞれは、前記第１および第２のカバーそれぞれの二つの対向する端部間で延在する長手方向フランジである第１の延在部を具備してなり、かつ
前記フランジのそれぞれは、前記ハウジングと摩擦係合するための複数の弾性タブを具備してなることを特徴とする請求項１０に記載の電気コネクターアセンブリ。
【請求項１２】
前記第１および第２のカバーのそれぞれは、第２および第３の延在部を具備してなり、
前記第２の延在部のそれぞれは、前記第１および第２のカバーのそれぞれの端部から延在すると共に、前記ハウジングとスナップ嵌め込み式係合するための弾性クリップを具備してなり、かつ
前記第３の延在部は、前記ハウジングと係合すると共に、前記第１および第２のコネクターのそれぞれを受けるための、前記第１および第２のコネクターのそれぞれの前記第１の孔と軸方向に整列した切欠きを具備してなることを特徴とする請求項１１に記載の電気コネクターアセンブリ。
【請求項１３】
前記第１および第２のコネクターのそれぞれのハウジングから延在する第１および第２のアームをさらに具備してなり、
前記第１のアームのそれぞれは第２のネジ付き孔を具備してなり、かつ
前記第２のアームのそれぞれは第２の孔を具備してなることを特徴とする請求項９に記載の電気コネクターアセンブリ。
【請求項１４】
前記第２のコネクターの前記第２の孔を通り、前記プリント回路板と係合することなく前記プリント回路板の第３の開口部を通って延在する第３のファスナーをさらに具備してなり、前記第３のコネクターは前記第１のコネクターの前記第２のネジ付き孔とネジ式係合する遠位端部を有し、かつ前記第３のファスナーは前記第１および第２のコネクターとは別体でありかつ前記第１および第２のコネクターから取り外し可能となっていることを特徴とする請求項１３に記載の電気コネクターアセンブリ。
【請求項１５】
前記第１のコネクターの前記第２の孔を通り、前記プリント回路板と係合することなく前記プリント回路板の第４の開口部を通って延在する第４のファスナーをさらに具備してなり、前記第４のファスナーは前記第２のコネクターの前記第２のネジ付き孔とネジ式係合する遠位端部を具備してなることを特徴とする請求項１４に記載の電気コネクターアセンブリ。
【請求項１６】
前記第１および第２のコネクターのそれぞれの前記ハウジングは前記第１および第２の端部間で延在する底部を具備してなり、前記第１および第２のコネクターのそれぞれの前記底部は、第１および第２の位置合せポストを具備してなることを特徴とする請求項９に記載の電気コネクターアセンブリ。
【請求項１７】
前記第１および第２のコネクターのそれぞれの前記第１の位置合せポストは、前記プリント回路板の第１のポスト開口部内に収容され、かつ
前記第１および第２のコネクターのそれぞれの前記第２の位置合せポストは、前記プリント回路板の第２のポスト開口部内に収容されていることを特徴とする請求項１６に記載の電気コネクターアセンブリ。
【発明の詳細な説明】
【技術分野】
【０００１】
本発明はプリント回路板用の電気コネクターに関し、さらに詳しくは、プリント回路板の逆側の面上の同一のコネクターに結合される電気コネクターに関する。
【背景技術】
【０００２】
プリント回路板の両面に実装される既存の電気コネクターは、たいてい、取り付け部材(たとえば鉤状体あるいは基板ロック)を含むが、これは基板に対して電気コネクターを固定するために回路板の開口部と係合する。しばしば、取り付け部材が緩み、電気コネクターが基板から分離してしまうことがある。
【０００３】
さらに、プリント回路板用の既存の電気コネクターは、しばしば、十分なＥＭＩシールドを実現できないことがある。既存の電気コネクター用の典型的なシールドは、通常、完全な保護をもたらすことができず、ＥＭＩの漏洩が生じ得るが、これは他のコネクターとの干渉を増大させる。
【０００４】
従来型の電気コネクターの例としては、Prattその他に対する米国特許第6,652,292号(特許文献１参照)、Jonesに対する米国特許第6,319,058号(特許文献２参照)、Choyに対する米国特許第5,921,812号(特許文献３参照)、Mickに対する米国特許第5,807,136号(特許文献４参照)、Yohnその他に対する米国特許第5,482,474号(特許文献５参照)、Ganthierに対する米国特許第5,254,016号(特許文献６参照)、Hypesに対する米国特許第5,080,611号(特許文献７参照)、Miller,Jr.に対する米国特許第5,059,130号(特許文献８参照)およびZellに対する米国特許第4,173,387号(特許文献９参照)が挙げられる。これらそれぞれの主題事項は、この引用によって本明細書に組み込まれる。
【特許文献１】米国特許第6,652,292号明細書
【特許文献２】米国特許第6,319,058号明細書
【特許文献３】米国特許第5,921,812号明細書
【特許文献４】米国特許第5,807,136号明細書
【特許文献５】米国特許第5,482,474号明細書
【特許文献６】米国特許第5,254,016号明細書
【特許文献７】米国特許第5,080,611号明細書
【特許文献８】米国特許第5,059,130号明細書
【特許文献９】米国特許第4,173,387号明細書
【発明の開示】
【発明が解決しようとする課題】
【０００５】
したがって、本発明の目的は、対向する同一のコネクターに対してそれを固定することで、プリント回路板に対して取り付けられる電気コネクターを提供することである。
【０００６】
本発明の別な目的は、十分なＥＭＩシールドを有するプリント回路板上に搭載するための電気コネクターを提供することである。
【課題を解決するための手段】
【０００７】
上記目的は、基本的に、その第１および第２の端部間に配置されたコネクターインタフェースと、このコネクターインタフェースと対向する後部と、プリント回路板係合面を有する底部とを備えたハウジングを含む電気コネクターによって達成される。第１の端部は第１のファスナーを受けるよう構成された第１の孔を備えると共に、第２の端部は第２のファスナーを受けるよう構成された第１の孔を備えている。着脱式カバーがハウジングの後部に対して結合される。このカバーは、ハウジングの後部内へと延在する少なくとも第１の延在部を備えている。
【０００８】
上記目的はまた、対向する第１および第２の面、ならびに第１および第２の開口部を備えたプリント回路板を含む電気コネクターアセンブリによって達成される。第１および第２の実質的に同一のコネクターは、プリント回路板の第１および第２の面上にそれぞれ配置されている。第１および第２のコネクターのそれぞれは、ハウジングの第１および第２の端部間に配置されたコネクターインタフェースを備えたハウジングを具備してなる。第１の端部のそれぞれは第１の孔を具備し、かつ第２の端部のそれぞれは第１のネジ付き孔を具備してなる。第１のファスナーは、第１のコネクターの第１の孔を通り、かつプリント回路板と係合することなくプリント回路板の第１の開口部を通って延在している。第１のファスナーは、第２のコネクターの第１のネジ付き孔と係合する遠位端部を有する。第２のファスナーは、第２のコネクターの第１の孔を通り、かつプリント回路板と係合することなくプリント回路板の第２の開口部を通って延在している。第２のファスナーは、第１のコネクターの第１のネジ付き孔と係合する遠位端部を有する。第１および第２のファスナーは別体であって、かつ第１および第２のコネクターから取り外し可能となっている。
【０００９】
本発明のこれ以外の目的、利点および顕著な特徴部は、添付図面と共に、本発明の好ましい実施形態を開示した以下の詳細な説明から明らかとなるであろう。
【発明を実施するための最良の形態】
【００１０】
添付図面と共に以下の詳細な説明を参照することで、本発明およびそれに付随する多くの利点のさらに完全な理解が容易に得られるであろう。
【００１１】
図１ないし図８を参照すると、実質的に同一の電気コネクター１０および１２が、プリント回路板１４の両面上のトレースと電気的に接続され、かつファスナー(たとえばネジ)によって互いに固定されている。基板１４の両側にコネクター１０および１２を接続することによって、より高密度のコネクターが実現されるが、これはコネクターが基板１４の一面側に制限されないからである。
【００１２】
図１から分かるように、第１のコネクター１０は基板１４の第１の面１８上に載っている。第２のコネクターは１８０°回転して、第１のコネクター１０と対向するよう基板１４の第２の面２０に載置されている。コネクター、たとえばそのコネクターインタフェース２２(図１)およびそのコネクター導線２４(図２)は既存のコネクターと類似であるが、各コネクター１０および１２のハウジングすなわちシェル２６と取り付け構造体は既存のものではない。
【００１３】
各コネクター１０および１２のハウジング２６は、前部フレーム２８(図１)と、対向する後部壁３０(図２)、第１および第２の端壁３２および３４と、上面および底面壁すなわち側壁３６および３８とを具備してなり、導線２４が底面壁３８を経て突出している。ハウジング２６はコネクターボディ２５および導線２４(図２)を支持するための内部領域を具備するが、前部フレーム２８は解放されており、コネクターインタフェース２２がそれを通って延在できるようになっている。図１および図５から分かるように、第１の端壁３２は凹部４０を有する。貫通孔４２(図５)が第１の端壁３２の上面壁３６に配置されている。対応する貫通孔４４(図５)が底面壁３８に配置されている。孔４４は図４に示すように孔４２と垂直方向に整列している。図６から分かるように、第２の端壁３４は、第１の端壁３４の凹部４０と類似の凹部４６を有する。凹部４６の底面壁３８は、図５および図６に示すようにネジ付き孔４７を含む。
【００１４】
図２および図３から分かるように、各コネクター１０および１２の後部壁３０は、各端壁３２および３４のそれぞれに配置された、外側に突出する第１および第２のアーム４８および５０を含む。アーム４８はネジ付き孔５２を含みかつアーム５０は、たとえばネジのようなファスナーを受けるための孔５１を含む。後部壁３０はまた、図６および図７から分かるように、金属(たとえばステンレススチール)製カバー５４を含むが、これはコネクターの背面を完全に閉塞することによってＥＭＩシールドを提供する。カバー５４はメインプレート５６を含むが、これはその一端から延在するクリップ５８を有し、このクリップ５８は図６に示すようにハウジング２６の凹部４６内にスナップ式係合する。メインプレート５６の他方の端部から延在するＬ字形延在部６０は、ハウジング２６の上面壁３６の上に載っている。延在部６０は、ファスナーとの緩衝を回避するために、貫通孔４２に対応する切欠き６１を具備することができる。カバー５４はまた、ハウジング２６の内部領域内に延在するフランジ６２を含む。フランジ６２は弾性フィンガー６３を含むが、これは、実質的にＥＭＩ漏洩を抑止するために、コネクターボディ２５とハウジング２６の内面との間の空隙を満たすことによってＥＭＩ保護を促進する。
【００１５】
第１のコネクター１０は第１のファスナーすなわちネジ６４(図１)によって基板１４の第１の面１８に取り付けられているが、このネジ６４はハウジング２６の第１の端壁３２の貫通孔４２および孔４４を通り、そして基板１４の第１の開口部８０(図３)を通って延在する。第１のネジ６４は基板１４と係合せず、その代わりに、図４から最もよく分かるように開口部８０を経て延在する。同様に、第２のコネクター１２は回転させられ、そして第２のコネクター１２の孔４２および孔４４を通って基板１４の第２の開口部８２(図３)内へと第２のネジ６６を延在させることによって、第２のネジ６６(図２)によって基板１４の第２の面２０に対して取り付けられている。第１のネジ６４は図４から分かるように第２のコネクター１２の第２の端壁３２の孔４７(図６)内に螺着し、かつ第２のネジ６６は同様にして第１のコネクター１０の孔４７内に螺着し、これによって第１および第２のコネクター１０および１２を、基板１４との係合を伴わずに互いに結合している。第１および第２のネジ６４および６６はまた、カバー５４のＬ字形延在部６０を各コネクターのハウジング２６に対して固定している。
【００１６】
各コネクター１０および１２の導線２４は、既存の様式で、基板１４の表面１８および２０上のトレースとつながっている。位置合わせポスト９０および９２(図５)を設けることができるが、これは、基板１４上にコネクター１０および１２を位置させるためにコネクター１０および１２のぞれぞれの底面壁３８から延在している。第１および第２のポスト孔９４および９６(図３)が基板１４に設けられており、これは位置合わせポスト９０および９２を受ける。コネクター１０および１２の位置合わせポスト９０および９２は、ポスト孔９４および９６を共有する。第１のコネクター１０の位置合わせポスト９０および９２は第１および第２のポスト孔９４および９６のそれぞれに納まっている。第２のコネクター１２に関して、位置合わせポスト９０は第２のポスト孔９６に納まり、かつ位置合わせポスト９２は第１のポスト孔９４に納まっている。したがって、第１のコネクター１０のポスト９０および第２のコネクター１２のポスト９２は、基板１４の第１のポスト孔９４を共有し、かつ第１のコネクター１０のポスト９２および第２のコネクター１２のポスト９０は、基板１４の第２のポスト９６を共有している。
【００１７】
基板１４を間に挟んで第１および第２のコネクター１０および１２のさらなる固定状態を得るために、第３のネジ６８(図２)が、図４に示すように、第２のコネクター１２のアーム５０の孔５１を通り、基板１４の第３の開口部８４(図３)を通って延在し、第１のコネクター１０のアーム４８のネジ付き孔５２に螺着させられている。同様に、第４のネジ７０(図２)は、第１のコネクター１０のアーム５０の孔５１を通り、第４の開口部８６(図３)を通って延在し、第２のコネクター１２のアーム４８のネジ付き孔５２に螺着させられている。第１および第２のネジ６４および６６と同様に、第３および第４のネジ６８および７０も基板１４とは係合しておらず、その代わりに、対向するコネクターと係合している。また、ネジ６４,６６,６８および７０は、基板１４からコネクター１０および１２を取り外すことなく、コネクター１０および１２から容易に取り外される。コネクター１０および１２のそれぞれの構造によって、基板１４を間に挟み込んだ状態で、二つのコネクターを互いに固定することが可能となる。コネクター１０および１２は同一であるから、製造および組み立てコストが低減される。
【００１８】
図８を参照すると、本発明の第２実施形態は、第１実施形態のコネクター１０および１２と同様のコネクター１１０および１１２を含むが、後部アーム４８および５０が排されている点で相違する。ゆえに、第１実施形態のネジ６４および６６と同様に、第１および第２のネジ１６４および１６６のみが、基板１１４を間に挟んで、コネクター１１０および１１２を互いに固定するのに使用されている。
【００１９】
特定の実施形態を選択して本発明を説明したが、当業者には、特許請求の範囲によって規定される本発明の範疇から逸脱することなく、その中でさまざまな変更および改変が可能であることは明白であろう。
【図面の簡単な説明】
【００２０】
【図１】本発明による二つの電気コネクターの正面側斜視図であり、プリント回路板の両面に実装されたコネクターを示している。
【図２】図１に示す電気コネクターの後方側斜視図である。
【図３】図１に示す電気コネクターの分解状態での斜視図である。
【図４】図１の線４‐４に沿った断面で取った電気コネクターの一部側面図である。
【図５】図１に示す電気コネクターの底面側斜視図である。
【図６】図５に示す電気コネクターの後方側斜視図である。
【図７】本発明によるカバーの斜視図である。
【図８】本発明の第２実施形態による二つの電気コネクターの後方側斜視図であり、プリント回路板に実装された電気コネクターを示している。
【符号の説明】
【００２１】
１０,１２  電気コネクター
１４  プリント回路板(基板)
１８  第１の面
２０  第２の面
２２  コネクターインタフェース
２４  コネクター導線
２５  コネクターボディ
２６  シェル(ハウジング)
２８  前部フレーム
３０  後部壁
３２,３４  端壁
３６,３８  側壁
４０  凹部
４２,４４  貫通孔
４６  凹部
４７  ネジ付き孔
４８,５０  アーム
５１  孔
５２  ネジ付き孔
５４  カバー
５６  メインプレート
５８  クリップ
６０  Ｌ字形延在部
６１  切欠き
６２  フランジ
６３  弾性フィンガー
６４,６６,６８,７０  ネジ
８０,８２,８４,８６  開口部
９０,９２  位置合わせポスト
９４,９６  ポスト孔
１１０,１１２  コネクター
１１４  基板
１６４,１６６  ネジ
【図１】
2008517432.tif 000003
【図２】
2008517432.tif 000004
【図３】
2008517432.tif 000005
【図４】
2008517432.tif 000006
【図５】
2008517432.tif 000007
【図６】
2008517432.tif 000008
【図７】
2008517432.tif 000009
【図８】
2008517432.tif 000010
【国際調査報告】
2008517432.tif 000011